(57)【要約】      （修正有）【課題】吊部材がからまったり、撚れたり、ほつれたりしない、安全性に優れたブランコを提供する。【解決手投】梁１と、吊部材２と、座部とを有するブランコであって、少なくとも前記梁１と吊部材２との連結部に、３６０度自在に回転可能な回転金具８を含む金具連結機構部４を備え、回転金具８の回転により吊部材２のからまり、撚れ、ほつれを防止するものである。【選択図】図２
0003100617.tif 000002
【実用新案登録請求の範囲】
【請求項１】
梁と、吊部材と、座部とを有するブランコであって、少なくとも前記梁と吊部材との連結部に、３６０度自在に回転可能な回転金具を含む金具連結機構部を備えることを特徴とするブランコ。
【請求項２】
梁と、吊部材と、座部とを有するブランコであって、少なくとも前記梁と吊部材との連結部に、梁に取り付けた吊り金具と、吊り金具に一端を回動可能に取り付けた回動金具と、回動金具に一端を取り付けた３６０度自在に回転可能な回転金具と、回転金具の他端に上端を取り付け下端を吊部材に連結した先端金具とからなる金具連結機構部を備えることを特徴とするブランコ。
【請求項３】
梁と、吊部材と、座部とを有するブランコであって、少なくとも前記梁と吊部材との連結部に、梁に取り付けた吊り金具と、吊り金具に一端を回動可能に取り付けた回動金具と、回動金具に対して上端を３６０度自在に回転可能に取り付け、下端を吊部材に連結した金属ピンとかなる金具連結機構部を備えることを特徴とするブランコ。
【請求項４】
前記吊部材の外側に、吊部材の変形を防止することが可能な硬度・強度を備えたチューブ状の部材を配置したことを特徴とする請求項１乃至３のいずれかに記載のブランコ。
【考案の詳細な説明】
【技術分野】
【０００１】
本考案は、公園、学校或いは家庭の庭等に設置されるブランコに関するものである。
【背景技術】
【０００２】
ブランコの主要な構成要素としては、梁と、この梁から吊り下げられた吊部材と、吊部材により支持した座板とが有るが、このような吊部材としては、従来では金属鎖や金属棒を加工したもの、繊維・樹脂・鋼線・ロープ等の種々の材料を用いたもの等が使用されている。この場合、梁と吊部材、吊部材と座部との連結は各々単純な金属リング等を用いているのが通常である。
【０００３】
しかし、吊部材や座部が本来意図しない状態、例えば座部に吊部材を巻き付けて座部の地面からの高さを本来の位置より高い位置にする等の状態で使用されること等により、吊部材がからまったり、撚れたり、ほつれたりする等の事態が発生し、安全に使用することが困難になったり、極端な場合には吊部材の破損が生じたりする惧れがあった。
【０００４】
特許文献１には、梁に吊下金具、接続金具を介してロープの両端を回動可能に連結し、このロープの下端側には合成樹脂製の座板を水平に貫通配置した構成のブランコが提案されている。
【０００５】
しかし、この特許文献１のブランコにおいても、例えば座部をロープを巻き付けたりするような本来意図しない状態にするとロープがからまったり、撚れたりして安全に使用することが困難になる惧れがあった。
【特許文献１】特開平５−８４３６１号公報
【考案の開示】
【考案が解決しようとする課題】
【０００６】
解決しようとする問題点は、吊部材がからまったり、撚れたり、ほつれたりする等の事態が生じて損傷を招き、安全性を損なう点である。
【課題を解決するための手段】
【０００７】
本考案は、梁と、吊部材と、座部とを有するブランコであって、少なくとも前記梁と吊部材との連結部に、３６０度自在に回転可能な回転金具を含む金具連結機構部を備えることを最も主要な特徴とする。
【考案の効果】
【０００８】
本考案によれば、吊部材のからまり、ほつれ、撚れ等は、３６０度自在に回転可能な回転金具により吸収され、本来意図しない使用態様でも、吊部材のからまり、ほつれ、撚れ、破損等を回避し安全性に優れたブランコを提供でき、また、吊部材の外側にチューブ状の部材を配置することにより吊部材の破損をより効果的に防止できる。
【考案を実施するための最良の形態】
【０００９】
梁と、吊部材と、座部とを有するブランコであって、少なくとも前記梁と吊部材との連結部に、梁に取り付けた吊り金具と、吊り金具に一端を回動可能に取り付けた回動金具と、回動金具に一端を取り付けた３６０度自在に回転可能な回転金具と、回転金具の他端に上端を取り付け下端を吊部材に連結した先端金具とからなる金具連結機構部を備えることにより、吊部材のからまり、撚れ、ほつれ等の事態を無くし損傷を防止して、安全性の向上を実現した。
【実施例】
【００１０】
以下に、本考案の実施例を詳細に説明する。
図１に示す本実施例のブランコは、地面又は床面から所定の高さに水平配置される梁１と、梁１から一対の金具連結機構部４により吊り下げた一対の吊部材２と、一対の吊部材２により両端を支持した遊戯者が座るための座部３とを主要な構成要素とする。
【００１１】
一対の金具連結機構部４は遊戯者の手の届かない位置に配置することが好適である。また、前記吊部材２は、例えば芯材に鋼線を用い、その周囲を樹脂繊維で包んだものを使用する。
【００１２】
前記金具連結機構部４は、図２に示すように、梁１に固定金具１２を介して取り付けた吊り金具１３と、吊り金具１３に一端を回動可能に取り付けた回動金具５と、回動金具５に一端を取り付けた水平方向に３６０度自在に回転可能な回転金具８と、回転金具８の他端に上端を取り付け下端を吊部材２に連結した先端金具７とを有している。
【００１３】
固定金具１２は、中央部を弧状に膨出させた一対の固定片１４、１５により梁１を挟み込むとともに、これらの両端部をボルト１６、１６を用いて締め付けることで、梁１に強固に固定している。吊り金具１３は、上端を固定片１４に固着した前記梁１と直交する方向の一定の隙間を有する一対の垂下片１７、１７からなり、この一対の垂下片１７、１７の間に前記回動金具５の上部側を挿入して、吊りピン６により垂下片１７、１７の間において前記回動金具５を前記梁１と直交する方向に回動自在に支持している。
【００１４】
回転金具８は、図２に拡大して示すように、上部ヨーク８ａと、下部ヨーク８ｂと、上部ヨーク８ａと、下部ヨーク８ｂとの連結部に配置した前記上部ヨーク８ａ、下部ヨーク８ｂを３６０度回転可能に連結する回動支持ピン８ｃとを具備し、前記回動金具５の下部側に上部ヨーク８ａの上端を上部連結ピン２１を介して取り付けている。また、下部ヨーク８ｂの下端に配置した下部連結ピン２２に前記先端金具７の上端を一体に取り付けている。更に、先端金具７の下端を前記吊部材２に連結している。図２中、７ａは先端金具７と一体のカバー筒である。
【００１５】
前記回転金具８は、３６０度回転した位置で回転が止まるものでなく、３６０度を越えても更に回転可能なものであり、また、回転金具８の回転は一方向ではなく両方向に可能なものである。前記回転金具８は、製品をより安価に提供するため、市振品を採用することができる。
【００１６】
本実施例のブランコによれば、上述した構成の金具連結機構部４を一対用いて梁１から一対の吊部材２を吊り下げたことにより、このブランコの遊戯者が座部３を吊部材２に巻き付けるなど本来意図しない使用の仕方をした場合においても、金具連結機構部４における回転金具８の３６０度又はそれ以上の回転によって吊部材２のからまり、撚れ、ほつれを直ちに解消し、その確損を回避することが可能となる。
【００１７】
図３は、金具連結機構部４の変形例である金具連結機構部３０を示すものであり、この金具連結機構部３０は、梁１に固定金具１２を介して取り付けた吊り金具１３と、吊り金具１３に一端を回動可能に取り付けた回動金具５と、回動金具５に対して上端を水平方向に３６０度回転自在に嵌め付けて取り付け、下端を吊部材２に連結した金属ピン３１とを有している。
図３中、３１ａは金属ピン３１と一体のカバー筒である。この金具連結機構部３０も遊戯者の手の届かない位置に配置することが好適である。
【００１８】
この金具連結機構部３０の金属ピン３１も、３６０度回転した位置で回転が止まるものでなく、３６０度を越えても更に回転可能なものであり、また、金属ピン３１の回転は一方向ではなく両方向に可能なものである。
【００１９】
この金具連結機構部３０を一対用いて一対の吊部材２を吊り下げた構成のブランコの場合においても、このブランコの遊戯者が座部３を吊部材２に巻き付けるなど本来意図しない使用の仕方をした場合においても、金具連結機構部３０における金属ピン３１の３６０度又はそれ以上の回転によって吊部材２のからまり、撚れ、ほつれを直ちに解消し、その確損を回避することが可能となる。
【００２０】
以上説明した金具連結機構部４及び金具連結機構部３０は、いずれも梁１と吊部材２との連結部分に配置する場合について説明したが、これらは梁１と吊部材２との連結部分、吊部材２と座部３の連結部分の双方に配置しても良いし、吊部材２と座部３の連結部分のみ配置する構成とすることもでき、これらの場合も既述した場合と同様の作用、効果を発揮させることができる。
【００２１】
図４は、前記吊部材２の外側に当該吊部材２の変形を防止することができる硬度・強度を備えた例えば合成樹脂製のチューブ状の部材１０を配置した例を示すものであり、このような構成により一層効果的に吊部材２のからまり、撚れ、ほつれ、確損を回避することが可能となる。
【産業上の利用可能性】
【００２２】
本考案は、ブランコに適用する他、例えば壁面、天井、梁等からクライミング用のロープ等を吊り下げて使用する場合に、そのロープ等のからまり、確損等を回避する用途に適用可能である。
【図面の簡単な説明】
【００２３】
【図１】本考案の実施例のブランコの概略斜視図である。
【図２】本考案の実施例の金具連結機構部の拡大斜視図である。
【図３】本考案の実施例の金具連結機構部の変形例の拡大斜視図である。
【図４】本考案の実施例のブランコの吊部材の外側にチューブ状の部材を配置した例を示す概略斜視図である。
【符号の説明】
【００２４】
１    梁
２    吊部材
３    座部
４    金具連結機構部
５    回動金具
６    吊りピン
７    先端金具
７ａ  カバー筒
８    回転金具
８ａ  上部ヨーク
８ｂ  下部ヨーク
８ｃ  回動支持ピン
１０    部材
１２    固定金具
１３    吊り金具
１４    固定片
１５    固定片
１６    ボルト
１７    垂下片
２１    上部連結ピン
２２    下部連結ピン
３０    金具連結機構部
３１    金属ピン
３１ａ  カバー筒
【図１】
0003100617.tif 000003
【図２】
0003100617.tif 000004
【図３】
0003100617.tif 000005
【図４】
0003100617.tif 000006